(57)【要約】【課題】傾斜沈降装置に流入する原水流量の偏りを抑えて短絡流を防止すると共に、原水から分離沈降するフロックを除去して処理性を向上させる。【解決手段】沈澱池１は、沈澱池１内に原水を通過させてフロックを沈降させる傾斜沈降装置３を設け、その上面３ｂに上澄み層５を介して集水トラフ７を設けた。傾斜沈降装置３の流入側の下面３ａにおける上流側領域Ａに整流板１０を対向させて略Ｖ字状に傾斜して配設した。整流板１０はその孔部から原水を流入させると共に、流入量を規制する。しかも、整流板１０は傾斜沈降装置３の傾斜管４から分離沈降するフロックを堆積させる。整流板１０を貫通するガイド軸１５を回転させてナット部材１６を移動させることで、ナット部材１６に支承された補強板を変位させてガイド部を連動させ、整流板１０の傾斜角度を大きくして堆積したフロックを除去する。【選択図】図１
2020121293.tif 000002
【特許請求の範囲】
【請求項１】
沈澱池内に設けられていて原水を通過させてフロックを分離沈降させる傾斜沈降装置と、
前記傾斜沈降装置の流入側の面における上流側領域に配設されていて原水の流入量を規制する整流部材と、
前記整流部材の傾き角度を変化させる角度調整部材と、
を備えたことを特徴とする沈澱池。
【請求項２】
前記整流部材には原水を通過させる孔部が形成されている請求項１に記載された沈澱池。
【請求項３】
前記角度調整部材は、前記整流部材の貫通孔を貫通する雄ねじの切られたガイド軸と、前記ガイド軸に螺合するナット部材と、前記ナット部材の移動に連動して変位可能な補強部材と、前記整流部材に連結されていて前記補強部材の変位に連動して前記整流部材を変位させるガイド部と、を備えている請求項１または２に記載された沈澱池。
【請求項４】
前記補強部材は支承部または軸部を介して前記ナット部材に支承されている請求項３に記載された沈澱池。
【請求項５】
前記補強部材は前記ナット部材の両端に設けられたフランジ部の間に相対変位可能に保持されている請求項３に記載された沈澱池。
【請求項６】
前記ガイド軸に螺合された第一の前記ナット部材と、前記ガイド軸の逆ねじが形成された部分に螺合された第二の前記ナット部材とを備え、
前記第一のナット部材に連動する第一の前記整流部材と前記第二のナット部材に連動する第二の前記整流部材とが対向して逆向きに傾斜している請求項３から５のいずれか１項に記載された沈澱池。
【発明の詳細な説明】
【技術分野】
【０００１】
本発明は、例えば上向流式の傾斜沈降装置を備えた沈澱池に関する。
【背景技術】
【０００２】
従来、沈澱池には、例えば図１２に示すように、沈澱池１００の上部に設けた集水トラフ１０６の下方に傾斜沈降装置１０２を備えたものが知られている。この傾斜沈降装置１０２は多数の傾斜管（傾斜板）１０４から構成され、沈澱池１００内の上流側から下流側まで設けられている。集水トラフ１０６と傾斜沈降装置１０２の間の上澄み層１０３には複数の阻流板１０５が一定の間隔で設けられ、複数の区画に仕切られている。沈澱池１００の上流側には整流壁１０７が設けられており、この整流壁１０７の流入孔１０７ａを通過した原水が傾斜沈降装置１０２を介して集水トラフ１０６に流入するようになっている。
【０００３】
また、例えば特許文献１に記載された上向流式傾斜沈澱池では、上向流式の傾斜装置は上澄み層を傾斜管の１ピッチ毎に長手方向の阻流板及び幅方向の阻流板で仕切っている。これにより、沈澱池内の比較的低い温度の原水に対して比較的高い温度の原水が混入した場合に、高い温度の原水は低い温度の原水に押し上げられて傾斜装置の傾斜管内または傾斜板間を高速で上昇する。しかし、この高速の原水は、上澄み層が阻流板によって１ピッチ毎に仕切られているため、取水トラフ取水能力を超えた原水が傾斜管内または傾斜板間を上昇することを防止する。そのため、上澄み層に至る間に原水中のフロックを沈降分離できるとしている。
【先行技術文献】
【特許文献】
【０００４】
【特許文献１】特開昭６２−２９８４０９号公報
【発明の概要】
【発明が解決しようとする課題】
【０００５】
ところで、沈澱池に流入する原水が傾斜沈降装置の流入側の面から各傾斜管に流入する際、傾斜沈降装置の流入側の面における下流側領域よりも上流側領域の方が原水の流れが早いため、上流領域に多くの原水が流入する一方で、下流側領域では十分な流量の原水が流入しないことになる。このように傾斜沈降装置に均等に流入しないで、上流側つまり近いところに流れ込むといったいわゆる短絡流が発生する。この場合、上流側領域は短絡流のためフロックを十分沈降できず、沈降されないフロックが集水トラフ７に流入するおそれがあった。
【０００６】
しかも、特許文献１に記載された上向き流傾斜沈澱池のように、傾斜沈降装置の上面に位置する上澄み層で各傾斜管または各傾斜板のピッチ毎に阻流板を配設しても、それだけでは短絡流を十分抑制できず、原水に含まれるフロックが集水トラフに侵入することを防止できなかった。また、傾斜沈降装置の流出側に流れ出る流速の速い短絡流が阻流板で遮られて下向流となるため、原水の処理性が低下するおそれがあった。
【０００７】
本発明は、このような課題に鑑みて、傾斜沈降装置に流入する原水流量の偏りを抑えて短絡流を防止し、原水から分離沈降して堆積するフロックを除去して処理性を向上させる沈澱池を提供することを目的とする。
【課題を解決するための手段】
【０００８】
本発明に係る沈澱池は、沈澱池内に設けられていて原水を通過させてフロックを分離沈降させる傾斜沈降装置と、傾斜沈降装置の流入側の面における上流側領域に配設されていて原水の流入量を規制する整流部材と、整流部材の傾き角度を変化させる角度調整部材と、を備えたことを特徴とする。
本発明によれば、傾斜沈降装置の流入側の面における上流側領域に流入する原水の流入量を整流部材によって規制することで流入側の面の上流側領域及び下流側領域から均等に傾斜沈降装置に原水が流入するため、上流側領域で傾斜沈降装置に原水の短絡流が流入することを抑制できて原水の処理性を向上させる。しかも、傾斜沈降装置で原水から分離降下したフロックが整流部材に堆積した場合には、角度調整部材を作動して整流部材の角度を変化させることで堆積したフロックを下方に除去し、その後、整流部材を元の角度に調整することができる。
【０００９】
また、整流部材には原水を通過させる孔部が形成されていてもよい。
傾斜沈降装置の流入側の面における上流側領域に設けた整流部材の孔部を原水が通過して傾斜沈降装置に流入し、整流部材に衝突する原水は下流側領域に流れて傾斜沈降装置に流入するため、原水は傾斜沈降装置の流入側の面に均等に流入する。
【００１０】
また、角度調整部材は、整流部材の貫通孔を貫通する雄ねじの切られたガイド軸と、ガイド軸に螺合するナット部材と、ナット部材の移動に連動して変位可能な補強部材と、整流部材に連結されていて補強部材の変位に連動して整流部材を変位させるガイド部と、を備えていることが好ましい。
整流部材に堆積したフロックを除去する場合、ガイド軸を回転させてナット部材を移動させることで補強部材が連動し、補強部材の変位に連動してガイド部が変位することで整流部材がガイド部と一体に角度変化する。整流部材の角度変化により堆積したフロックを降下させて除去する。
【００１１】
また、補強部材は支承部または軸部を介してナット部材に支承されていてもよい。
ガイド軸の回転によってナット部材が移動するため、ナット部材に支承部または軸部で支承された補強部材が角度変位しつつ相対移動することで、ガイド部を介して整流部材の角度が変位する。
【００１２】
また、補強部材はナット部材の両端に設けられたフランジ部の間に相対変位可能に保持されていてもよい。
ガイド軸の回転によってナット部材が移動するため、ナット部材に連動してフランジ部に押されて補強部材が角度変位しつつ相対移動することで、ガイド部と一体に整流部材の角度が変位する。
【００１３】
また、ガイド軸に螺合された第一のナット部材と、ガイド軸の逆ねじが形成された部分に螺合された第二のナット部材とを備え、第一のナット部材に連動する第一の整流部材と第二のナット部材に連動する第二の整流部材とが対向して逆向きに傾斜していてもよい。
本発明によれば、ガイド軸を回転させることで、第一のナット部材と第二のナット部材が逆方向に移動するため、第一の整流部材と第二の整流部材とが逆方向に傾斜することで堆積したフロックをそれぞれ除去できる。
【発明の効果】
【００１４】
本発明に係る沈澱池によれば、傾斜沈降装置の流入側の面における上流側領域に原水の流入量を規制する整流部材が配設されていて、一部の原水のみが整流部材を通過して傾斜沈降装置に流入するため短絡流を発生させず、上流側領域及び下流側領域から均等に傾斜沈降装置に原水が流入するため、上流側領域で傾斜沈降装置に原水の短絡流が流入することを抑制できて原水の処理性が向上する。
また、傾斜沈降装置で原水から分離沈降したフロックが整流部材に堆積しても、角度調整部材によって整流部材の角度を変化させることでフロックを除去できる。
【図面の簡単な説明】
【００１５】
【図１】本発明の第一実施形態に係る沈澱池の要部側断面図である。
【図２】図１における傾斜沈降装置及び整流板をＰ方向から見た図である。
【図３】整流板の正面図である。
【図４】整流板を支持する角度調整部材の基本構成を示す正面図である。
【図５】図４に示す整流板の角度調整部材のＡ−Ａ線断面図である。
【図６】ガイド軸の回転に応じて角度が変化する整流板を示す模式図である。
【図７】整流板に設置した角度調整部材を示す要部斜視図である。
【図８】図７に示す整流板と角度調整部材のＢ-Ｂ線断面図である。
【図９】幅方向に配列されたガイド軸の駆動機構を示す模式図である。
【図１０】第二実施形態に係る沈澱池の整流板と角度調整部材を示す要部正面図である。
【図１１】図１０に示す整流板と角度調整部材のＣ-Ｃ線断面図である。
【図１２】従来の沈澱池の側断面図である。
【発明を実施するための形態】
【００１６】
以下、本発明の実施形態による沈澱池を添付図面に基づいて説明する。
図１乃至図９は、本発明の第一実施形態に係る沈澱池１を示すものである。
図１及び図２に示す沈澱池１においては、原水を通過させる多数の流入孔を有する整流壁２の下流側で、沈澱池１の上部に設けた集水トラフ７の下方に傾斜沈降装置３が設置されている。傾斜沈降装置３は例えば多数の傾斜管４（または傾斜板）が互いに密接して縦横に配列されている。各傾斜管４(または傾斜板間)はそれぞれ互いに仕切られた原水の流路を形成し、垂直方向に対して上部が整流壁２側に傾斜した姿勢で配列されている。
【００１７】
傾斜沈降装置３は例えば略直方体形状に形成され、原水の送り方向を縦方向（長手方向）としてその長さをＬ、横方向（幅方向）の長さをＷとしている。傾斜沈降装置３の下面３ａが原水の流入口で、上面３ｂが流出口である。下面３ａ側から各傾斜管４に流入する原水が傾斜管４内でフロックを分離して凝集させて下方に降下させ、残った上澄み水（清澄水）を上面３ｂから流出させる。なお、本明細書において、図１に示す傾斜沈降装置３の原水が流入する下面３ａを流入側（上流側）の面といい、流出する上面３ｂを流出側（下流側）の面という。また、下面３ａは原水の流れ方向に原水の短絡流を生じ易い上流側領域Ａと残りの原水が流入する下流側領域Ｂとに分けられている。
【００１８】
傾斜沈降装置３の上面３ｂ側と集水トラフ７の間の上澄み層５には、送り方向と幅方向に所定間隔を開けて多数の阻流板６が配設されている。阻流板６は傾斜沈降装置３の上面３ｂから集水トラフ７の底面及び側面まで延設されており、上澄み層５を阻流板６により仕切ることで、傾斜沈降装置３を通過する原水の流入抵抗を均質なものとしている。傾斜沈降装置３の上部には集水トラフ７が幅方向に所定間隔を開けて配列されており、その側部に形成した孔部を通して流入した上澄み水を次の工程に送り出している。或いは、集水トラフ７の側部に孔部を設けず、側部の上縁部を乗り越えて上澄み水が流入するようにしてもよい。
【００１９】
従来の沈澱池１では、整流壁２の流入孔を通過した原水が傾斜沈降装置３の下面３ａから傾斜管４に流入する際、縦方向の長さＬに対して上流側領域Ａに多量の原水が流入するため短絡流となり、下流側領域Ｂでは原水の流入量が少なく、原水の流入比率と処理が均等でなかった。短絡流となる上流側領域Ａの原水は傾斜沈降装置３の各傾斜管４内でフロックを十分沈降分離できず、フロックを含んだまま集水トラフ７に流入していた。
本実施形態では、図１及び図２に示すように、傾斜沈降装置３の流入側端部に設けられた仕切り壁９の下部から、下面３ａに対向して短絡流の流入を抑制する複数の整流板１０が上流側領域Ａに設置されている。整流板１０は傾斜沈降装置３の上流側領域Ａに流入する原水の短絡流を抑制するものであるため、下面３ａの長手方向長さＬの例えば１/５〜１/２の範囲に設定されている。整流板１０は下流側領域Ｂには設置されていない。整流板１０の設置範囲は、整流壁２を通過した原水の流速及び温度により決定すればよく、例えば下面３ａの長手方向長さＬの１/４〜１/３の範囲が良い。
【００２０】
次に、整流板１０とその支持構造について説明する。
図１及び図２に示すように、下面３ａの下側には下面３ａに対向して例えば棒状の支持枠１１が枠状に配列されて上流側から下流側に向けて上流側領域Ａの領域に設置されている。支持枠１１は下面３ａに吊り具１２によって支持されている。しかも、支持枠１１の上流側端部の支持軸１１ａは仕切り壁９の下端近傍に連結されている。最も上流側の整流板１０は支持軸１１ａに吊り下げられて斜め下方に傾斜された状態に支持されている。
図２に示すように支持軸１１ａは沈澱池１の横方向に延びており、本実施形態では例えば各２枚の整流板１０が一体に連結されて1枚を構成しており、２枚の整流板１０がそれぞれ支持軸１１ａに回転可能に斜めに支持されている。なお、連結された二枚の整流板１０に代えて一体に形成された１枚の整流板１０を用いてもよい。また、整流板１０の数は沈澱池１の幅寸法に応じて設定でき、２枚等でもよく適宜数に設定できる。
【００２１】
しかも、図１において、最も上流側の整流板１０の下流側には逆向きの傾斜角度で整流板１０が支持軸１１ｂによって吊り下げられて上流側に向けて斜め下方に傾斜支持されている。これらの整流板１０は略Ｖ字状に対向配置されている。このような配置の２枚の整流板１０を１組としてその下流側にもう１組の整流板１０がそれぞれ支持軸１１ｃ、１１ｄに吊り下げられて略Ｖ字状に傾斜配置されている。図１及び図２に示す例では、上流側領域Ａにおいて、整流板１０が横方向に２枚ずつ、縦方向に４枚ずつそれぞれ支持されている。
なお、上流側領域Ａに設置される整流板１０の縦横方向の数は任意であり、上流側領域Ａの長さと整流板１０の縦横長さと沈澱池１の底部までの深さとの関係で設定される。
【００２２】
しかも、原水の下流側に向けて縦方向に配列された４枚の整流板１０の貫通孔１０ａを挿通するガイド軸１５が水平方向に延びて回転可能に支持されている。ガイド軸１５には雄ねじが切られている。ガイド軸１５はそれぞれの整流板１０の中央に形成された貫通孔１０ａを挿通しており、貫通孔１０ａの領域にガイド軸１５に螺合するナット部材１６がそれぞれ挿通されている。
縦方向に配列された４枚の整流板１０は、略Ｖ字状に対向する２枚の整流板１０が２組配列されている。ガイド軸１５は、各組の２枚の整流板１０の貫通孔１０ａに配設された２つのナット部材１６において、上流側のナット部材１６の可動領域では順ねじに形成され、下流側のナット部材１６の可動領域では逆ねじに形成されている。
【００２３】
そのため、ガイド軸１５を一方向に回転させると２組の整流板１０のナット部材１６は互いに接近または離間する方向に移動する。そして、各支持軸１１ａ、１１ｂ、１１ｃ、１１ｄに支持された各組の整流板１０をそれぞれ逆方向に回動させて傾斜させる(図６参照)。しかも、各整流板１０の傾斜姿勢は同一角度の大きさで変化する。なお、ガイド軸１５は上流側の１組の整流板１０を貫通する部分と下流側の１組の整流板１０を貫通する部分との間に軸継手１９を装着して連結してもよいし、これに代えて１本のガイド軸１５で４枚の整流板１０を貫通して支持してもよい。なお、支持軸１１ａ、１１ｂ、１１ｃ、１１ｄは両端が沈澱池１の両側壁に固定されている。
【００２４】
各整流板１０は図３乃至図５に示すように平板状に形成されていて、その表裏面を貫通する孔部８が所定間隔で縦横方向に複数配列されている。整流板１０の面積に対する孔部８の総面積の比は例えば５〜２０％程度に設定されている。整流板１０は例えばパンチングメタル等で形成されている。各整流板１０は孔部８を通過する原水が上流側領域Ａ内で傾斜沈降装置３の下面３ａから各傾斜管４内に流入可能である。
しかも、整流板１０の中央部には、略箱状で内側に開口を有する溝部１７ａが形成された２つのガイド部１７が対向して固定され、このガイド部１７の間にガイド軸１５及びナット部材１６を挿通させる貫通孔１０ａが形成されている。また、一対のガイド部１７の溝部１７ａ内に両端がスライド可能に収納された補強板１８が配設されている。補強板１８にもガイド軸１５及びナット部材１６を挿通させる中央孔１８ａが形成されている。しかも、補強板１８の中央孔１８ａの対向する面にはナット部材１６に揺動可能に支承される支承部２０（または軸部）が固定されている。なお、ガイド軸１５、ナット部材１６、ガイド部１７、補強板１８は角度調整部材１４に含まれる。また、貫通孔１０ａは、ガイド軸１５及びナット部材１６を取り付けた補強板１８がスライドできるように長孔となっている。整流板１０は、断面形状が波板状や底部と頂部を繰り返す形状であっても良い。これにより整流板１０の強度を向上させることができる。
【００２５】
図６は、ガイド軸１５の回転によってナット部材１６が回転させられて進退した状態を示している。図中、実線で示された整流板１０は第一の傾斜角度θ１(例えば水平線に対して３０度の傾斜角)に保持された状態で、原水の一部を孔部８を通して傾斜沈降装置３の下面３ａに流通できるようにしている。図１に示す他の整流板１０も同様に第一の傾斜角度θ１に保持されている。
この第一の傾斜角度θ１で、図１に示すように、上流側領域Ａで傾斜沈降装置３の下面３ａへの原水の流入量を規制して短絡流が流入することを抑制し、原水の処理性を向上させる。しかも、整流板１０は第一の傾斜角度θ１に保持されることで、所定量の原水が確実に通過できる。
【００２６】
図７及び図８は、整流板１０が第一の傾斜角θ１に保持された状態を示している。この角度θ１に傾斜配置された整流板１０の貫通孔１０ａ及び補強板１８の中央孔１８ａは水平方向に延びるガイド軸１５及びナット部材１６を挿通させている。そして、傾斜沈降装置３の傾斜管４から分離沈降するフロックが整流板１０に堆積した状態で、支持軸１１ａ（１１ｂ、１１ｃ、１１ｄ）を中心に第二の傾斜角度θ２（＞θ１）まで整流板１０を縦方向に傾斜させることで、フロックを落下させて除去できる(図６参照)。第二の傾斜角度θ２は沈澱池１の深さに応じて設定され、少なくとも底部と干渉しないでフロックを落下できる角度であればよい。
整流板１０の貫通孔１０ａ及び補強板１８の中央孔１８ａは、挿通されるナット部材１６に対して整流板１０及び補強板１８が少なくとも第一の傾斜角θ１と第二の傾斜角θ２の範囲で回動することを許容する程度の余裕(隙間)がある。
【００２７】
なお、各整流板１０には、支持軸１１ａ、１１ｂ、１１ｃ、１１ｄと反対側端部にフロート２１を取り付けて軽量化してもよい。これにより、ガイド軸１５の回転によって整流板１０が第一の傾斜角度θ１と第二の傾斜角度θ２との間で回動し易くなる。フロート２１は図示しない空気調整装置にチューブを介して接続していて、整流板１０の傾斜角度に応じてフロート２１内の空気を出し入れして浮力を調整してもよい。また、整流板１０の傾斜角度の調整は堆積したフロックが除去できればよいので、原水の通過流量を調整可能な通常の傾斜姿勢を例えば４５度とし、整流板１０に堆積したフロックを除去可能なようにより大きく開いた除去姿勢を例えば６０度としても良い。
【００２８】
次にガイド軸１５の駆動機構について図２及び図９により説明する。
図９は傾斜沈降装置３の幅方向(横方向)に配列された例えば４枚の整流板１０の傾斜角度をそれぞれ変化させるための一対のガイド軸駆動部２２を示すものである。各ガイド軸駆動部２２は傾斜沈降装置３の仕切り壁９の下部近傍に設置されている。ガイド軸駆動部２２は、各２本のガイド軸１５に固定された第一スプロケット軸２８に無端状の第一チェーン２３が噛合されている。一方のガイド軸１５に固定された第二スプロケット軸２４と上部の歯車２５との間に無端状の第二チェーン２６が噛合している。この歯車２５には、回転可能なハンドル２７が設けられている。
作業者等がガイド軸駆動部２２のハンドル２７を回転操作することで、第二チェーン２６を介して第一チェーン２３を回転させて、２本のガイド軸１５を同期して正逆回転させ、互いに連結された２枚の整流板１０を一体に回動させることができる。
【００２９】
本第一実施形態による沈澱池１は上述した構成を有しており、次に原水の処理方法を説明する。
図１に示す沈澱池１において、整流壁２の流入孔を通過する原水は例えば流速０．６ｍ／ｍｉｎ程度で流れ、傾斜沈降装置３の下面３ａに流入する。しかも、沈澱池１内の比較的低温の原水に対して整流壁２の流入孔を通過する新たな原水の温度が夏場等で高温である場合、水温差による密度流が発生して平均流速よりも高速の水流になり密度流が発生する。更に、傾斜沈降装置３の下面３ａでは上流側領域Ａの方が下流側領域Ｂよりも原水の流入量が多く、短絡流になり易い。
【００３０】
本実施形態では、図１及び図２に示すように、上流側領域Ａにおいて４枚の整流板１０が縦方向に略Ｖ字状に対向して２組配列され、各整流板１０はそれぞれ対向して傾斜角度±θ１で設置されている。そのため、一部の原水は各整流板１０の孔部８を通って傾斜沈降装置３の上流側領域Ａの下面３ａから各傾斜管４内に流入する。それ以外の原水は整流板１０によって通過を規制されて下流側領域Ｂに流れて傾斜沈降装置３の下面３ａから各傾斜管４内に流入する。
これによって、上流側領域Ａの原水の流入量が低減されて各傾斜管４内で短絡流が生じることを抑制し、下流側領域Ｂの原水の流入量が増大する。そのため、傾斜沈降装置３内で原水が全体に均等に分散されて下面３ａから各傾斜管４の水路を上昇する。
【００３１】
傾斜沈降装置３の各傾斜管４内の水路で原水中のフロックが沈降分離され、上流側領域Ａでは整流板１０の上に落下する。原水からフロックを分離した処理水は十分に浄化されて清澄水として上澄み層５に送られる。上澄み層５に送られた清澄水は集水トラフ７に流入して次の工程に送られる。このように整流板１０により、上流側領域Ａの傾斜管４内を原水が集中的に上昇することを防止し、フロックを含む原水が上澄み層５から集水トラフ７に送られることを防止できる。
原水から沈降分離したフロックは沈澱物として傾斜角度θ１に保持された各整流板１０上に降下して堆積される。
【００３２】
整流板１０に堆積する沈殿物が所定量以上になった場合、図９に示すガイド軸駆動部２２のハンドル２７を作業者等が回転させることで、第二チェーン２６及び第一チェーン２３を介して各一対のガイド軸１５を同一方向に回転させる。ガイド軸１５の回転によって、螺合する２つのナット部材１６が逆方向に移動する(図６参照)。
ナット部材１６の移動により、支承部２０でナット部材１６に支承された補強板１８がガイド部１７の溝部１７ａに沿って相対移動し、その姿勢を次第に起立する方向の角度に変位させる。補強板１８の姿勢の変位に応じてガイド部１７を介して整流板１０もその姿勢を第一の傾斜角度θ１からより起立姿勢に近い第二の傾斜角度θ２に変位させる。これにより、整流板１０に堆積したフロックは沈澱池１の底部に落下する。ガイド軸１５の回転に連動してナット部材１６を離間する方向に移動させるため他の整流板１０も同様に第一の傾斜角度±θ１から第二の傾斜角度±θ２に変位させられる。
その際、整流板１０の傾斜角の変化に応じて吸排気装置によりフロート２１内の空気を次第に排気させて浮力を低下させてもよい。
【００３３】
整流板１０からフロックを除去した後、整流板１０の姿勢を第二の傾斜角度θ２から元の第一の傾斜角度θ１に戻すには、ガイド軸駆動部２２のハンドル２７の操作により、ガイド軸１５を逆方向に回転させて２つのナット部材１６を互いに近づく方に移動させる。これにより、補強板１８がガイド部１７に沿って摺動すると共にその姿勢が変位させられるため、整流板１０がその姿勢を第二の傾斜角度±θ２から第一の傾斜角度±θ１に変位させられる。
これによって、互いに対向する各整流板１０は下端部のフロート２１を互いに近接する略Ｖ字状の位置に傾斜させるよう戻すことができる(図１参照)。しかも、吸排気装置からフロート２１に空気を供給することで浮力が増大し、整流板１０の回動が容易になる。そして、下流側領域Ａにおける原水の流れを各整流板１０で制御して短絡流を生じないように調整する。
【００３４】
上述したように本第一実施形態による沈澱池１によれば、傾斜沈降装置３の下面３ａの上流側領域Ａに孔部８を穿孔した各整流板１０を第一の傾斜角θ１で略Ｖ字状に対向配置したため、傾斜沈降装置３内に流入する原水の流量が規制され、フロックを含む原水が短絡流として集水トラフ７に侵入することを防止できる。また、残りの原水は下流側領域Ｂから傾斜沈降装置３内に流入するため、整流板１０によって原水を傾斜沈降装置３の下面３ａ全域に均等に分散して流入できる。そして、各傾斜管４内でフロックを沈降分離させた清澄水を集水トラフ７に流入させることができる。
また、原水から沈降分離して整流板１０に沈殿物として堆積するフロックは、ハンドル２７を操作してガイド軸１５を回転操作し、対向する各整流板１０を支持軸１１ａ、１１ｂ、１１ｃ、１１ｄを中心にして回動させて傾斜角度を大きくすることで下方に排出できる。
【００３５】
以上、本発明の第一実施形態による沈澱池１について説明したが、本発明は上述の実施形態に限定されるものではなく、その趣旨を逸脱しない範囲で適宜変更可能である。なお、以下に、本発明の他の実施形態や変形例について説明するが、上述した実施形態と同一または同様な部材、部分には同一の符号を用いてその説明を省略する。
【００３６】
図１０及び図１１は本発明の第二実施形態による沈澱池１に用いられる整流板１０とその角度調整部材１４を示すものである。
本第二実施形態では、整流板１０の中央に設けた補強板１８の中央孔１８ａには、ナット部材１６に揺動可能に支承される支承部２０または軸部は設けられていない。支承部２０等に代えて、ナット部材１６の両端部にフランジ部１６ａが突出して形成されている。そして、補強板１８の中央孔１８ａと整流板１０の貫通孔１０ａはナット部材１６の移動時にいずれか一方のフランジ部１６ａに押されて姿勢を変位させる。しかも、補強板１８は姿勢の変位に応じてガイド部１７の溝部１７ａに沿って摺動可能とされている。
本第二実施形態による沈澱池１においても、第一実施形態と同様な作用効果を奏する。
【００３７】
なお、整流板１０において、整流板１０の形状は四角形平板状に限定されることなく、例えば波板状等の適宜の断面形状に形成してもよい。波板状に形成することで整流板１０の強度が向上する。
また、整流板１０に形成した孔部８についても、孔部の形状は円形等に限定されるものではなく、四角形や楕円形等、適宜の形状を採用できる。しかも、整流板１０の面積に対する孔部８の総面積の比は６％に限定されることなく、原水の流速や流量、沈降すべきフロックの量等に応じて適宜、増減調整することができる。
【００３８】
また、縦方向に配列した複数の整流板１０における孔部８の面積を上流側から下流側に向かって順次大きくして配置しても良い。さらに、整流板１０の孔部８を上流側から下流側に向かって順次多くして配置しても良い。これにより原水の通過水量を上流側から下流側に向かって多くすることができ、特に整流板１０が長い場合には有効で、傾斜沈降装置３に流入する原水を高精度に均一化することができる。
【００３９】
なお、上述した各実施形態において、整流板１０によって短絡流が生じないように原水の流量や流速を規制できるため、傾斜沈降装置３の流出側の上澄み層５に阻流板６を設けなくてもよい。
上述した各実施形態では、上流側領域Ａにおいて、ガイド軸１５及びナット部材１６が貫通する整流板１０を縦方向に２組略Ｖ字状に対向させて傾斜配置したが、１組だけでもよいし、或いは３組以上配置してもよい。また、整流板１０は、縦方向において複数個を同一方向に傾斜配置させてもよい。この場合には、ガイド軸１５を部分的に逆ねじに形成する必要はなく、同一方向に雄ねじを形成すればよい。
【００４０】
整流板１０には必ずしも原水を流通させる孔部８が設けられていなくてもよい。この場合でも、整流板１０の形状を渦巻き型形状や一部切り欠き形状やひし形形状等の適宜形状とすれば、整流板１０の欠けた部分を原水が通過し且つ欠けていない部分で原水の流入を規制して下流側に流すことができる。
また、上述の各実施形態では、ガイド軸駆動部２２のハンドル２７を手動操作してガイド軸１５を正逆回転させたが、これに代えて電動等で自動的に回転させてもよい。
なお、整流板１０は整流部材に含まれ、補強板１８は補強部材に含まれる。
【００４１】
なお、整流板１０を傾斜させるガイド軸１５の駆動機構をチェーン駆動からフレキシブルシャフトに替えてもよい。この場合、フレキシブルシャフトの柔軟性によりガイド軸１５が上下方向に移動可能となるので、補強板１８がスライドする機構を省略でき、構造を簡単にすることができる。
【符号の説明】
【００４２】
１  沈澱池
３  傾斜沈降装置
３ａ  下面
４  傾斜管
５  上澄み層
６  阻流板
７  集水トラフ
８  孔部
１０  整流板
１１  支持枠
１１ａ、１１ｂ、１１ｃ、１１ｄ  支持軸
１４  角度調整部材
１５  ガイド軸
１６  ナット部材
１６ａ  フランジ部
１７  ガイド部
１７ａ  溝部
１８  補強板
１８ａ  中央孔
２０  支承部
Ａ  上流側領域
Ｂ  下流側領域
Ｍ  駆動モータ
【図１】
2020121293.tif 000003
【図２】
2020121293.tif 000004
【図３】
2020121293.tif 000005
【図４】
2020121293.tif 000006
【図５】
2020121293.tif 000007
【図６】
2020121293.tif 000008
【図７】
2020121293.tif 000009
【図８】
2020121293.tif 000010
【図９】
2020121293.tif 000011
【図１０】
2020121293.tif 000012
【図１１】
2020121293.tif 000013
【図１２】
2020121293.tif 000014